(57)【要約】      （修正有）【課題】必要な追加ＰＯＰを、レールと平行方向に、商品と同列で見やすく掲出することを可能にするＰＯＰカード用ホルダーを提供する。【解決手段】基端側がカード装着用レール３０に挿入される薄板状の基板部２と、前記基板部の前記基端側に対向する基板部先端において、前記基端側から前記基板部先端に向かって基板部が伸びる方向に直交する第一の折線部で折曲げられて、先端が前記カード装着用レールの前方側に向かって突出して伸びる薄板状の支持部と前記支持部の先端において、前記支持部が伸びる方向に直交する第二の折線部で折曲角度調整可能に前記基板部の前記基端側が位置する側に折り曲げられる薄板状のＰＯＰカード背面支持部と前記ＰＯＰカード背面支持部の先端において、前記ＰＯＰカード背面支持部が伸びる方向に直交する第三の折線部で折返されて、前記ＰＯＰカード背面支持部との間にＰＯＰカード装着部６を形成する薄板状のＰＯＰカード前面支持部５とを備えている。【選択図】図６
0003224563.tif 000002
【実用新案登録請求の範囲】
【請求項１】
基端側がカード装着用レールに挿入される薄板状の基板部と、
前記基板部の前記基端側に対向する基板部先端において、前記基端側から前記基板部先端に向かって基板部が伸びる方向に直交する第一の折線部で折曲げられて、先端が前記カード装着用レールの前方側に向かって突出して伸びる薄板状の支持部と、
前記支持部の先端において、前記支持部が伸びる方向に直交する第二の折線部で折曲角度調整可能に前記基板部の前記基端側が位置する側に折り曲げられる薄板状のＰＯＰカード背面支持部と、
前記ＰＯＰカード背面支持部の先端において、前記ＰＯＰカード背面支持部が伸びる方向に直交する第三の折線部で折返されて、前記ＰＯＰカード背面支持部との間にＰＯＰカード装着部を形成する薄板状のＰＯＰカード前面支持部
とを備えているＰＯＰカード用ホルダー。
【考案の詳細な説明】
【技術分野】
【０００１】
この考案は、店舗の商品売り場において陳列している商品についての商品紹介、宣伝、広告、キャッチコピーなどが表示される販促用のＰＯＰカードを収容、保持するＰＯＰカード用ホルダーに関する。
【背景技術】
【０００２】
コンビニエンスストア、ショッピングストア、ドラッグストアなどの店舗における商品陳列棚では、その前面に配備されていてプライスカードやＰＯＰカードを収納・展示するカード装着用レールにプライスカードやＰＯＰカードを収納して来店者に商品の宣伝、広告を行うことがされている。
【０００３】
このようなときには、図６（ａ）図示のように、商品名及び販売価格を表示するプライスカード３１と、当該商品を宣伝・紹介するＰＯＰカード３２とをいずれもカード装着用レール３０内に平面的に収容して表示することになるのが一般的である。この場合、プライスカード３１の商品名及び販売価格を来店者に展示・表示しようとすると、図６（ａ）図示のようにＰＯＰカード３２の表面の一部がプライスカード３１で覆われてしまい、ＰＯＰカード３２に表示されているキャチコピーや宣伝、広告の一部を来店者に見てもらえない事態が発生する。
【０００４】
そこで、カード装着用レールに掛脱可能で、掛止部をカード装着用レールに掛止し、当該掛止部から前方に突出している部分にＰＯＰカード保持部を設けることで、当該ＰＯＰカード保持部に装着されたＰＯＰカードをカード装着用レールよりも前方、すなわち、店舗内における通路側に突出させた状態（レール面に対して９０度の垂直方向）で展示することを可能にするＰＯＰカード用ホルダーが提案されている（特許文献１）。
【０００５】
特許文献１記載の考案は、ＰＯＰカード用ホルダーをケーシング、ＰＯＰカード保持体、掛止片の３部材で構成し、これら３部材をそれぞれ別部材として成型し、これら３部材をインジェクションで一体的に成形されたＰＯＰカード用ホルダーである。
【先行技術文献】
【特許文献】
【０００６】
【特許文献１】特開２０１８−１１７０７号公報
【考案の概要】
【考案が解決しようとする課題】
【０００７】
この考案は、店舗の商品陳列棚の前面に配備されているカード装着用レール上の何処にでも取り付け取り外し可能であって、既に装着されているプライスカードを遮ることなく、必要な追加ＰＯＰを、レールと平行方向に、商品と同列で見やすく掲出することを可能にするＰＯＰカード用ホルダーであって、且つ簡易構造で、低コストにて提供できるＰＯＰカード用ホルダーを提供することを目的にしている。
【課題を解決するための手段】
【０００８】
[１]
基端側がカード装着用レールに挿入される薄板状の基板部と、
前記基板部の前記基端側に対向する基板部先端において、前記基端側から前記基板部先端に向かって基板部が伸びる方向に直交する第一の折線部で折曲げられて、先端が前記カード装着用レールの前方側に向かって突出して伸びる薄板状の支持部と、
前記支持部の先端において、前記支持部が伸びる方向に直交する第二の折線部で折曲角度調整可能に前記基板部の前記基端側が位置する側に折り曲げられる薄板状のＰＯＰカード背面支持部と、
前記ＰＯＰカード背面支持部の先端において、前記ＰＯＰカード背面支持部が伸びる方向に直交する第三の折線部で折返されて、前記ＰＯＰカード背面支持部との間にＰＯＰカード装着部を形成する薄板状のＰＯＰカード前面支持部
とを備えているＰＯＰカード用ホルダー。
【考案の効果】
【０００９】
この考案によれば、店舗の商品陳列棚の前面に配備されているカード装着用レール上の何処にでも取り付け取り外し可能であって、既に装着されているプライスカードを遮ることなく、必要な追加ＰＯＰを、レールと平行方向に、商品と同列で見やすく掲出することを可能にするＰＯＰカード用ホルダーであって、且つ簡易構造で、低コストにて提供できるＰＯＰカード用ホルダーを提供することができる。
【図面の簡単な説明】
【００１０】
【図１】この考案の一実施形態に係るＰＯＰカード用ホルダーを表す斜視図。
【図２】この考案の一実施形態に係るＰＯＰカード用ホルダーが一枚の薄板状の合成樹脂製平板から形成されることを説明する図であって、（ａ）は第一、第二、第三の折線部の位置の一例を説明する平面図、（ｂ）は図２（ａ）図示の状態から第三の折線部で折り返しが行われてＰＯＰカード装着部が形成された状態を説明する平面図。
【図３】図１図示のＰＯＰカード用ホルダーが、第二の折線部で折曲角度調整可能に折り曲げられる状態を説明する斜視図。
【図４】図１図示のＰＯＰカード用ホルダーのＰＯＰカード装着部にＰＯＰカードが装着される状態を説明する斜視図。
【図５】図１図示のＰＯＰカード用ホルダーのＰＯＰカード装着部にＰＯＰカードが装着された状態を説明する斜視図。
【図６】（ａ）は店舗の商品陳列棚の前面に配備されているカード装着用レールに平面的にプライスカードとＰＯＰカードとが装着されているときの一例を表す斜視図。（ｂ）は図６（ａ）図示のカード装着用レールにこの考案の一実施形態に係るＰＯＰカード用ホルダーが装着され、ＰＯＰカードをカード装着用レールよりも前方、すなわち、店舗内における通路側に突出させた状態で展示している状態の一例を説明する斜視図。
【考案を実施するための形態】
【００１１】
添付図面を参照してこの考案の一実施形態を説明する。
【００１２】
この実施形態のＰＯＰカード用ホルダー１は、一枚の薄板状の基板１０（図２）から形成される。
【００１３】
薄板状の基板１０は無色透明あるいは、有色透明の合成樹脂製で、収納・保持するＰＯＰカードの形状、大きさ等を考慮して種々の形状、大きさのものを採用することができる。図示の実施形態では、長手方向の長さ（すなわち、図２（ａ）における左右方向の長さ）が１４０ｍｍ、長手方向に直交する横手方向の長さ（すなわち、図２（ａ）における上下方向の長さ）が５０ｍｍで、厚さ０．３ｍｍのＰＥＴ製にしている。
【００１４】
図２において符号２で示している部分が、図６（ｂ）図示のように、店舗の商品陳列棚の前面に配備されているカード装着用レール３０に対して基端側が挿入される基板部となる。
【００１５】
基板部２の基端側を、図６（ｂ）図示のように、カード装着用レール３０に対して挿入することでＰＯＰカード用ホルダー１をカード装着用レール３０に取り付け、また、基板部２をカード装着用レール３０から抜き取ることで、ＰＯＰカード用ホルダー１をカード装着用レール３０から取り外すことができる。
【００１６】
基板部２の、カード装着用レール３０に対して挿入される基端側に対向する基板部先端（図２（ａ）の左側、図１の上側）には、基板部２の基端側から基板部先端に向かって基板部２が伸びる方向に直交する第一の折線部７が形成されている。
【００１７】
基板１０が、第一の折線部７で折曲げられて、図１、図６（ｂ）図示のように、先端がカード装着用レール３０の前方側に向かって突出して伸びる支持部３が形成される。
【００１８】
支持部３の先端（図２（ａ）における左端）には、支持部３が伸びる方向に直交する第二の折線部８が形成されている。
【００１９】
基板１０は、第二の折線部８で、基板部２の上述した基端側が位置する側に折り曲げられ、これによって、ＰＯＰカード背面支持部４（図１）が形成される。
【００２０】
ＰＯＰカード背面支持部４は、後述するようにＰＯＰカード装着部６が形成され、ここに、図４、図５図示のようにＰＯＰカード３２が装着された際に、ＰＯＰカード３２の背面側に当接してＰＯＰカード３２を背面側から支持する部分になる。
【００２１】
第二の折線部８における、支持部３に対するＰＯＰカード背面支持部４の折り曲げは、図３に両方向矢印２０で示すように、折曲角度調整可能になっている。
【００２２】
基板１０のＰＯＰカード背面支持部４を形成する部分が、支持部３に対して、第二の折線部８で、基板部２の上述した基端側が位置する側に折り曲げられる際、小さな角度で折り曲げが行われると、図３にＰＯＰカード背面支持部４ａで表される斜め方向への折り曲げとなり、これよりも大きな角度で折り曲げが行われると、図３にＰＯＰカード背面支持部４ｂで表される斜め方向への折り曲げとなり、さらに大きな角度で、支持部３に対して直角になるように折り曲げが行われると、図３にＰＯＰカード背面支持部４で表される、図１図示の状態への折り曲げとなる。
【００２３】
ＰＯＰカード背面支持部４の先端（図２（ａ）における左端）には、ＰＯＰカード背面支持部４が伸びる方向に直交する第三の折線部９が形成されている。
【００２４】
基板１０は、第三の折線部９で折返されて、ＰＯＰカード背面支持部４との間にＰＯＰカード装着部６を形成するＰＯＰカード前面支持部５（図１）が形成される。
【００２５】
ＰＯＰカード背面支持部４と、ＰＯＰカード前面支持部５とによって形成されるＰＯＰカード装着部６に、図４、図５図示のようにＰＯＰカード３２が装着される。
【００２６】
ＰＯＰカード前面支持部５は、このようにＰＯＰカード装着部６が形成され、ここに、図４、図５図示のようにＰＯＰカード３２が装着された際に、ＰＯＰカード３２の前面側に当接してＰＯＰカード３２を前面側から支持する部分になる。
【００２７】
そこで、基板１０を、第三の折線部９で折り返して、ＰＯＰカード前面支持部５を形成する際、第三の折線部９で折り返し、この折り返し部分を潰しておくことで、上述したＰＯＰカード装着部６によるＰＯＰカード３２の収容、保持を安定して行えるようにすることができる。
【００２８】
上述したように、第二の折線部８における、支持部３に対するＰＯＰカード背面支持部４の折り曲げを折曲角度調整可能に行うことによる、図３に破線で示したＰＯＰカード背面支持部４ａの折り曲げ状態では、ＰＯＰカード前面支持部５ａ、ＰＯＰカード装着部６ａの状態になり、ＰＯＰカード背面支持部４ｂの折り曲げ状態では、ＰＯＰカード前面支持部５ｂ、ＰＯＰカード装着部６ｂの状態になる。
【００２９】
そこで、図１図示のように、支持部３に対してＰＯＰカード背面支持部４が直角に折れ曲がっている形態でのＰＯＰカード装着部６に、図４、図５図示のように、鉛直方向でＰＯＰカード３２を挿入して展示する形態に替えて、図３の斜め方向になっているＰＯＰカード装着部６ａ、ＰＯＰカード装着部６ｂにＰＯＰカード３２を挿入して、ＰＯＰカード３２を斜めになっている状態で展示することもできる。
【００３０】
いずれにしても、この実施形態のＰＯＰカード用ホルダー１を用いることで、図６（ｂ）図示のように、ＰＯＰカード３２を、カード装着用レール３０よりも前方、すなわち、店舗内における通路側に突出させた状態で展示することができる。いわば飛び出しＰＯＰの状態にできるもので、この実施形態のＰＯＰカード用ホルダー１を用いることで、カード装着用レール３０用の飛び出しＰＯＰを実現することができる。
【００３１】
これによって、例えば、カード装着用レール３０にプライスカード３１を装着し、ＰＯＰカード用ホルダー１のＰＯＰカード装着部６にＰＯＰカード３２を装着すれば、図６（ａ）の形態では、プライスカード３１が上に重なっていることで一部が視認不可であったＰＯＰカード３２の全体を確実に展示、表示することができる（図６（ｂ））。
【００３２】
なお、ＰＯＰカード装着部６がカード装着用レール３０から前方、すなわち、店舗内における通路側に突出する長さ、大きさは、基板１０における支持部３の長手方向（図２（ａ）における左右方向）長さによって規定される。
【００３３】
そこで、この実施形態のＰＯＰカード用ホルダー１を使用する商品陳列棚の店舗における位置、ＰＯＰカード用ホルダー１を取り付け、取り外しするカード装着用レール３０の形状、構造、収容・保持するＰＯＰカード３２の大きさ、構造など、種々の条件を考慮して基板１０における支持部３の長手方向（図２（ａ）における左右方向）長さを設定することで、ＰＯＰカード用ホルダー１に収容・保持されたＰＯＰカード３２の表示が目立つようにし、なおかつ、カード装着用レール３０に装着したプライスカード３１の表示内容も来店客に確実に視認してもらえるようにすることができる。
【００３４】
この実施形態のＰＯＰカード用ホルダー１は、上述したように、無色透明の薄板状の合成樹脂製の基板において、長手方向における所定の箇所に第一の折線部７、第二の折線部８、第三の折線部９をそれぞれ設けて折り曲げを行い、必要があれば、折り曲げた後に圧潰を行うことで形成することができる。そこで、きわめて簡易な構造で、低コストにてＰＯＰカード用ホルダーを提供することができる。
【００３５】
以上に説明したように、この実施形態のＰＯＰカード用ホルダーによれば、店舗の商品陳列棚の前面に配備されているカード装着用レール上の何処にでも取り付け取り外し可能であって、以下（１）〜（４）の機能を発揮することができる、簡易構造で、低コストにて提供できるＰＯＰカード用ホルダーを提供することができる。
【００３６】
この実施形態のＰＯＰカード用ホルダーによって発揮される機能
（１）レール面に対して必要な追加ＰＯＰを平行方向で見やすく掲出できる
（２）既にレールに装着されているプライスカードと同列位置の前方にＰＯＰ掲出が可能になるため、商品とＰＯＰの関係が明確になる
（３）既に装着されているプライスカード同士の間隔、隙間の有無に関わらずレール上の何処にでも掛脱可能である
（４）ＰＯＰカード保持部が透明であるため、既に装着されているプライスカードを遮らない
以上、本考案の実施形態を説明したが本考案は上述した実施形態に限られず、実用新案登録請求の範囲の記載から把握される技術的範囲において種々に変更可能である。
【符号の説明】
【００３７】
１  ＰＯＰカード用ホルダー
２  基板部
７  第一の折線部
３  支持部
８  第二の折線部
４、４ａ、４ｂ  ＰＯＰカード背面支持部
５、５ａ、５ｂ  ＰＯＰカード前面支持部
６、６ａ、６ｂ  ＰＯＰカード装着部
９  第三の折線部
１０  薄板状の基板
３０  カード装着用レール
３１  プライスカード
３２  ＰＯＰカード
【図１】
0003224563.tif 000003
【図２】
0003224563.tif 000004
【図３】
0003224563.tif 000005
【図４】
0003224563.tif 000006
【図５】
0003224563.tif 000007
【図６】
0003224563.tif 000008